(57)【特許請求の範囲】
【請求項１】
建物内の複数の居室を空調するための全館空調システムであって、
第１熱源と第２熱源とを含み、
前記第１熱源が、前記建物内の空気を取り込むための空気導入口を有するチャンバーと、
前記チャンバー内に収容された第１室内空調機とを含み、
前記第２熱源が、空調された空気を前記第１室内空調機に供給可能なように、前記建物内において、前記チャンバーの外部かつ前記空気導入口に対向して設けられた第２室内空調機を含む、
全館空調システム。
【請求項２】
前記チャンバーは、前記建物内を循環した空気が供給される非居室に設けられており、
前記第２室内空調機は、前記非居室に設けられている、請求項１記載の全館空調システム。
【請求項３】
少なくとも前記第１室内空調機の運転を制御するための制御装置をさらに備えている、請求項１又は２記載の全館空調システム。
【請求項４】
前記制御装置は、前記第１室内空調機及び前記第２室内空調機の運転を制御するためのものであり、
前記制御装置は、前記第１室内空調機及び前記第２室内空調機の一方のみを運転させる第１運転モードと、
前記第１室内空調機及び前記第２室内空調機をともに運転させる第２運転モードとに切り替える、請求項３記載の全館空調システム。
【請求項５】
前記制御装置は、前記第１室内空調機及び前記第２室内空調機の一方による除霜運転が開始された場合に、前記第１室内空調機及び前記第２室内空調機の他方による暖房運転を開始させる、請求項４記載の全館空調システム。
【請求項６】
前記制御装置は、前記第１室内空調機及び前記第２室内空調機の一方による冷房除湿運転が開始された場合に、前記第１室内空調機及び前記第２室内空調機の他方による暖房運転を開始させる、請求項４又は５記載の全館空調システム。
【請求項７】
前記制御装置は、前記第１室内空調機及び前記第２室内空調機の一方が故障した場合に、前記第１室内空調機及び前記第２室内空調機の他方のみを運転させる、請求項４ないし６のいずれかに記載の全館空調システム。
【請求項８】
請求項１ないし７のいずれか１項に記載の全館空調システムを用いて、建物内の複数の居室を空調するための方法であって、
前記第１室内空調機及び前記第２室内空調機の少なくとも一方を用いて、前記複数の居室を空調する空調工程を含む、
建物の空調方法。
【請求項９】
前記空調工程は、前記第１室内空調機及び前記第２室内空調機の一方のみを運転させる第１運転工程と、
前記第１室内空調機及び前記第２室内空調機をともに運転させる第２運転工程とを含む、請求項８記載の建物の空調方法。
【発明の詳細な説明】
【技術分野】
【０００１】
本発明は、全館空調システム及び建物の空調方法に関する。
【背景技術】
【０００２】
下記特許文献１には、建物内の複数の空間を空調するための空調システムが記載されている。この空調システムは、一台の空気調和機で空調された空気を、複数の空間に供給するセントラル空調タイプ（全館空調システム）のものである。空気調和機の室内機は、チャンバー内に配置されており、室内機からチャンバー内に吐出された空気が、複数の空間にそれぞれ供給されている。
【先行技術文献】
【特許文献】
【０００３】
【特許文献１】特開２０１６−１９１４８３号公報
【発明の概要】
【発明が解決しようとする課題】
【０００４】
例えば、暖房運転時において、空気調和機に供給される空気の温度が低い場合、空調に有効な空気が吐出されるまでに時間を要する。また、冷房運転時において、空気調和機に供給される温度が高い場合も同様である。さらに、空気調和機が故障した場合には、空気調和機が復旧するまでの間、全ての空間の空調ができなくなる。
【０００５】
しかしながら、従来のセントラル空調システムは、このような課題について考慮されたものではないため、空間の快適性の向上には、改善の余地があった。
【０００６】
本発明は、以上のような実状に鑑み案出されたもので、居室の快適性を向上させることが可能な全館空調システム及び建物の空調方法を提供することを主たる目的としている。
【課題を解決するための手段】
【０００７】
本発明は、建物内の複数の居室を空調するための全館空調システムであって、第１熱源と第２熱源とを含み、前記第１熱源が、チャンバーと、前記チャンバー内に収容された第１室内空調機とを含み、前記第２熱源が、空調された空気を前記第１室内空調機に供給可能なように前記建物内かつ前記チャンバーの外部に配された第２室内空調機を含むことを特徴とする。
【０００８】
本発明に係る前記全館空調システムにおいて、前記チャンバーは、前記建物内を循環した空気が供給される非居室に設けられており、前記第２室内空調機は、前記非居室に設けられていてもよい。
【０００９】
本発明に係る前記全館空調システムにおいて、少なくとも前記第１室内空調機の運転を制御するための制御装置をさらに備えていてもよい。
【００１０】
本発明に係る前記全館空調システムにおいて、前記制御装置は、前記第１室内空調機及び前記第２室内空調機の運転を制御するためのものであり、前記制御装置は、前記第１室内空調機及び前記第２室内空調機の一方のみを運転させる第１運転モードと、前記第１室内空調機及び前記第２室内空調機をともに運転させる第２運転モードとに切り替えてもよい。
【００１１】
本発明に係る前記全館空調システムにおいて、前記制御装置は、前記第１室内空調機及び前記第２室内空調機の一方による除霜運転が開始された場合に、前記第１室内空調機及び前記第２室内空調機の他方による暖房運転を開始させてもよい。
【００１２】
本発明に係る前記全館空調システムにおいて、前記制御装置は、前記第１室内空調機及び前記第２室内空調機の一方による冷房除湿運転が開始された場合に、前記第１室内空調機及び前記第２室内空調機の他方による暖房運転を開始させてもよい。
【００１３】
本発明に係る前記全館空調システムにおいて、前記制御装置は、前記第１室内空調機及び前記第２室内空調機の一方が故障した場合に、前記第１室内空調機及び前記第２室内空調機の他方のみを運転させてもよい。
【００１４】
本発明は、第１熱源と第２熱源とを含む全館空調システムを用いて、建物内の複数の居室を空調するための方法であって、前記第１熱源が、チャンバーと、前記チャンバー内に収容された第１室内空調機とを含み、前記第２熱源が、空調された空気を前記第１室内空調機に供給可能なように前記建物内かつ前記チャンバーの外部に配された第２室内空調機を含み、前記方法は、前記第１室内空調機及び前記第２室内空調機の少なくとも一方を用いて、前記複数の居室を空調する空調工程を含むことを特徴とする。
【００１５】
本発明に係る前記建物の空調方法において、前記空調工程は、前記第１室内空調機及び前記第２室内空調機の一方のみを運転させる第１運転工程と、前記第１室内空調機及び前記第２室内空調機をともに運転させる第２運転工程とを含んでもよい。
【発明の効果】
【００１６】
本発明の全館空調システムは、上記の構成を備えることにより、前記第２室内空調機で空調された空気を、前記第１室内空調機に供給することができるため、前記居室の空調に有効な空気を、前記第１室内空調機から短時間で吐出させることができる。これにより、本発明は、前記居室に設定された温度に、前記居室の温度を早期に達成させることができるため、前記居室の快適性を向上させることができる。
【００１７】
また、本発明は、前記第１室内空調機及び前記第２室内空調機の一方が故障した場合に、他方の室内空調機によって、前記居室の空調を継続することができる。したがって、本発明は、居室の快適性が維持されうる。
【図面の簡単な説明】
【００１８】
【図１】全館空調システムを利用した建物の一例を示す概念図である。
【図２】図１の第１熱源及び第２熱源の拡大図である。
【図３】建物の空調方法の処理手順の一例を示すフローチャートである。
【図４】第１運転モードの一例を示す概念図である。
【発明を実施するための形態】
【００１９】
以下、本発明の実施の一形態が図面に基づき説明される。なお、各図面は、発明の内容の理解を高めるためのものであり、誇張された表示が含まれる他、各図面間において、縮尺等は厳密に一致していない点が予め指摘される。
【００２０】
図１は、全館空調システム１を利用した建物２の一例を示す概念図である。建物２としては、住宅である場合が例示されているが、ビル等であってもよい。本実施形態の建物２は、床下空間３と、床上空間４とを含んで構成されている。
【００２１】
床下空間３は、基礎と地面と１階の床５とで囲まれた空間である。基礎には、外気Ａ３を取り入れるための開口部６が設けられている。開口部６から取り入れられた外気Ａ３は、１年を通じて温度変化の少ない地中の熱と、地面を介して熱交換される。これにより、床下空間３は、外気Ａ３に比べて、夏期は比較的涼しく、冬期は比較的暖かい空気（以下、単に「床下空気」ということがある。）Ａ４を蓄えることができる。
【００２２】
床上空間４は、床下空間３の上方に設けられた空間である。本実施形態の床上空間４は、居室７と、非居室８とを含んで構成されている。本実施形態の居室７は、１階の居室７ａ及び７ｂを含んでいる。なお、居室７には、２階以上に設けられた居室（図示省略）が含まれていてもよい。一方、非居室８は、１階の居室７ａ、７ｂ間に設けられたホール８ａや、図示されない洗面室及びトイレ等を含んでいる。本実施形態のホール８ａ（非居室８）には、建物２内を循環した空気が供給される。
【００２３】
床上空間４には、例えば、床上空間４の空気（建物２内の空気Ａ５）の少なくとも一部を、屋外に強制的に排出する排気用ファン（図示省略）が設けられてもよい。本明細書において、「ファン」は、空気を圧送するための機械である。また、ファンの吐出圧は、空気を圧送可能な吐出圧を有するものであれば、特に限定されるものではない。
【００２４】
全館空調システム１は、建物２内の複数の居室７（本例では、１階の居室７ａ、７ｂ）を空調するためのものである。本実施形態の全館空調システム１は、後述の建物２の空調方法（以下、単に「空調方法」ということがある。）の実施に用いられる。
【００２５】
本実施形態の建物２には、１つの全館空調システム１が設けられているが、このような態様に限定されるわけではない。例えば、建物２が、少なくとも一つの居室７を含む複数の居室エリア（図示省略）に区分される場合、それらの居室エリア毎に、全館空調システム（図示省略）がそれぞれ設けられてもよい。
【００２６】
本実施形態の全館空調システム１は、第１熱源９Ａと第２熱源９Ｂとを含んで構成されている。さらに、本実施形態の全館空調システム１は、第１流路１３、第２流路１６、及び、制御装置１５を備えている。
【００２７】
第１熱源９Ａは、チャンバー１０と、第１室内空調機１１とを含んで構成されている。
【００２８】
本実施形態のチャンバー１０は、床５の上に設置されているが、例えば、床５の下に設置されてもよいし、小屋裏１８に設置されてもよい。また、チャンバー１０は、１階の床５の上に設置されているが、例えば、２階以上の上階の床５の上に設置されても良い。本実施形態のチャンバー１０は、ホール８ａ（非居室８）に設けられている。図２は、図１の第１熱源９Ａ及び第２熱源９Ｂの拡大図である。
【００２９】
本実施形態のチャンバー１０は、その内部に空間（スペース）を有する箱状に形成されている。空間を区画する壁部１９には、断熱材（図示省略）が配されていてもよい。本実施形態の壁部１９は、第１壁部１９ａ、第２壁部１９ｂ、一対の第３壁部１９ｃ、１９ｃ（図２では、一方の第３壁部１９ｃのみを表示）、及び、第４壁部１９ｄを含んで構成されている。第１壁部１９ａは、ホール８ａに隣接して配されている。第２壁部１９ｂは、第１壁部１９ａと対向するように配されている。一対の第３壁部１９ｃは、第１壁部１９ａ及び第２壁部１９ｂの両側に配されている。第４壁部１９ｄは、第１壁部１９ａ〜第３壁部１９ｃの上部に配されている。
【００３０】
本実施形態のチャンバー１０は、建物２内の空気Ａ５を取り込むための空気導入口２０を有している。本実施形態の空気導入口２０は、チャンバー１０の壁部１９（本例では、第１壁部１９ａ〜第４壁部１９ｄ）のうち、第１壁部１９ａに形成された開口によって構成されている。これにより、空気導入口２０は、ホール８ａとチャンバー１０の内部とを連通させることができる。このような空気導入口２０により、建物２内の空気（本例では、居室７及び非居室８の空気）Ａ５は、図１に示した居室７、非居室８（ホール８ａを含む）、及び、隙間２３を介して、チャンバー１０の内部に供給されうる。これらの居室７、非居室８（ホール８ａ）及び隙間２３は、建物２内の空気Ａ５の流路（リターン経路）として構成される。
【００３１】
本実施形態の第１室内空調機１１は、一般的な家庭用のセパレート型エアコンである場合が例示される。このような第１室内空調機１１は、建物２の外部に設置される室外機（図示省略）とセットとして構成されている。本実施形態の第１室内空調機１１には、暖房運転及び冷房運転が可能なものが採用されているが、いずれか一方の運転のみが可能なものでもよい。
【００３２】
第１室内空調機１１は、吸込口１１ａと吐出口１１ｂとを有している。吸込口１１ａから吸引された空気（本例では、床下空気Ａ４及び建物内の空気Ａ５）は、第１室内空調機１１の内部に設けられた熱交換器（図示省略）によって熱交換され、熱交換された空気（以下、単に「空調空気」ということがある。）Ａ１が、吐出口１１ｂから吐出される。
【００３３】
本実施形態の第１室内空調機１１には、空調空気Ａ１の風向を調整可能な風向調節手段２１が設けられている。本実施形態の風向調節手段２１としては、吐出口１１ｂに取り付けられたルーバーである場合が例示されるが、このような態様に限定されない。
【００３４】
第１室内空調機１１は、チャンバー１０内に収容されている。本実施形態の第１室内空調機１１の背面は、第２壁部１９ｂに固定されている。これにより、第１室内空調機１１は、ホール８ａ側に正面が向くように配されている。
【００３５】
本実施形態では、チャンバー１０内の空気Ａ６（空調空気Ａ１を含む）が、空気導入口２０からチャンバー１０の外部に排出されるのを防ぐための仕切材４５が設けられてもよい。本実施形態の仕切材４５は、空気導入口２０の下方において、第１壁部１９ａと第１室内空調機１１との間を水平に延びている。
【００３６】
第１室内空調機１１から吐出された空調空気Ａ１は、例えば、チャンバー１０に収容されたフィルター（図示省略）によって浄化されてもよい。これにより、全館空調システム１は、浄化された空調空気Ａ１を、居室７（図１に示す）に供給することができる。
【００３７】
第２熱源９Ｂは、第２室内空調機１２を含んで構成されている。第２室内空調機１２は、建物２内、かつ、チャンバー１０の外部に配されている。
【００３８】
本実施形態の第２室内空調機１２は、第１室内空調機１１と同様に、一般的な家庭用のセパレート型エアコンである場合が例示される。このような第２室内空調機１２は、建物２の外部に設置される室外機（図示省略）とセットとして構成されている。本実施形態の第２室内空調機１２には、暖房運転及び冷房運転が可能なものが採用されているが、いずれか一方の運転のみが可能なものでもよい。
【００３９】
第２室内空調機１２は、吸込口１２ａと吐出口１２ｂとを有している。吸込口１２ａから吸引された空気は、第２室内空調機１２の内部に設けられた熱交換器（図示省略）によって熱交換され、熱交換された空気（空調空気）Ａ２が、吐出口１２ｂから吐出される。
【００４０】
本実施形態の第２室内空調機１２には、空調空気Ａ２の風向を調整可能な風向調節手段２１が設けられている。本実施形態の風向調節手段２１としては、吐出口１２ｂに取り付けられたルーバーである場合が例示されるが、このような態様に限定されない。
【００４１】
本実施形態の第２室内空調機１２は、チャンバー１０が設けられた非居室８（ホール８ａ）に設けられている。本実施形態の第２室内空調機１２は、建物２内において、空気導入口２０に対向する壁面２２に設けられているが、このような態様に限定されない。
【００４２】
本実施形態の壁面２２は、チャンバー１０が設けられ、かつ、建物２内の空気Ａ５のリターン経路を構成するホール８ａの一部を区画している。これにより、第２室内空調機１２は、空調された空気（空調空気）Ａ２を吐出することにより、建物２内を循環した空気Ａ５とともに、ホール８ａ及び空気導入口２０を介して、第１室内空調機１１に供給することができる。なお、第２室内空調機１２の配置は、空調空気Ａ２を第１室内空調機１１に供給可能であれば、上記の態様に限定されない。
【００４３】
本実施形態の第２室内空調機１２は、チャンバー１０の外部に配されるため、例えば、第１室内空調機１１とともに、第２室内空調機１２がチャンバー１０の内部に配される場合に比べて、チャンバー１０の大型化を防ぎつつ、メンテナンス性を向上しうる。
【００４４】
第１流路１３は、チャンバー１０内の空気Ａ６を、複数の居室７（本例では、図１に示した１階の居室７ａ、７ｂ）に供給するためのものである。図１に示されるように、第１流路１３は、一端がチャンバー１０に連通し、かつ、他端が建物２内の複数の居室７に連通している。本実施形態の第１流路１３は、チャンバー１０と１階の居室７ａ、７ｂとの間を接続するダクト２５によって構成されている。
【００４５】
図２に示されるように、本実施形態の第１流路１３の一端側は、チャンバー１０において、第１室内空調機１１から吐出される空調空気Ａ１の下流側（チャンバー１０の第２壁部１９ｂの下方）に設けられた開口に接続されている。第１流路１３の他端（図１に示す）には、各居室７（本例では、１階の居室７ａ、７ｂ）への風量をそれぞれ調節するためのダンパー（図示省略）が設けられている。このようなダンパーにより、チャンバー１０内の空気Ａ６（空調空気Ａ１、Ａ２を含む）の供給量を、居室７ごとに調節することができる。したがって、本実施形態の全館空調システム１は、例えば、各居室７に設定された設定温度に基づいて、各居室７を個別に空調することが可能となる。
【００４６】
本実施形態の第１流路１３には、第１ファン１４が設けられている。第１ファン１４は、チャンバー１０内の空気Ａ６を、第１流路１３を介して、居室７（図１に示す）に供給（圧送）するためのものである。
【００４７】
本実施形態の第１ファン１４は、チャンバー１０の内部に設けられているが、チャンバー１０の外部に設けられていてもよい。また、本実施形態では、１個の第１ファン１４で構成されている場合が例示されているが、複数個の第１ファン１４で構成されてもよい。本実施形態の第１ファン１４は、第１流路１３の一端に接続されている。このような第１ファン１４により、チャンバー１０内の空気Ａ６は、第１流路１３を介して居室７に供給（圧送）されうる。
【００４８】
図１に示されるように、第２流路１６は、チャンバー１０に、床下空気Ａ４（外気Ａ３）を供給するためのものである。図１及び図２に示されるように、本実施形態の第２流路１６は、一端がチャンバー１０に連通し、かつ、他端が床下空間３に連通するダクト２６によって構成されている。図２に示されるように、第２流路１６（ダクト２６）の一端は、チャンバー１０において、第１室内空調機１１の各吸込口１１ａ側（チャンバー１０の第４壁部１９ｄ）に設けられている。第２流路１６の他端側には、床下空気Ａ４（外気Ａ３）を、チャンバー１０側に送る（圧送する）ための第２ファン２７が設けられている。このような第２流路１６及び第２ファン２７により、床下空気Ａ４（外気Ａ３）が、チャンバー１０内に供給（圧送）されうる。
【００４９】
本実施形態の制御装置１５（図１に示す）は、少なくとも第１室内空調機１１（本実施形態では、第１室内空調機１１）の運転を制御するためのものである。さらに、本実施形態の制御装置１５は、第１ファン１４及び第２ファン２７を制御可能に構成されている。一方、本実施形態において、第２室内空調機１２は、制御装置１５によって制御されるわけではなく、居住者等の操作によって運転される。
【００５０】
本実施形態の制御装置１５は、例えば、居室７の間仕切り壁等に設置されているが、このような態様に限定されない。制御装置１５は、ＣＰＵ（中央演算装置）からなる演算部（図示省略）と、制御手順が予め記憶されている記憶部（図示省略）と、記憶部から制御手順を読み込む作業用メモリ（図示省略）とを含んで構成されている。
【００５１】
制御装置１５には、入力手段（図示省略）が設けられている。入力手段は、例えば、制御装置１５の筐体（図１に示す）に設けられた操作ボタンやタッチパネル等によって構成されている。このような入力手段により、例えば、居住者等によって入力された情報が、制御装置１５に伝達されうる。
【００５２】
入力される情報としては、例えば、空調運転（暖房運転又は冷房運転）の開始及び停止に関する指示情報や、図１に示した居室７（本例では、１階の居室７ａ、７ｂ）に予め定められた設定温度等が含まれる。本実施形態の設定温度は、空調方法（全館空調システム１）で空調されることによって達成させ、かつ、維持されるべき各居室７の温度である。また、本実施形態の設定温度は、１階の居室７ａ、７ｂごとに設定される。
【００５３】
制御装置１５には、出力手段（図示省略）が設けられている。本実施形態の出力手段は、制御装置１５の筐体（図１に示す）に設けられたディスプレイとして構成されている。出力手段は、制御装置１５から信号が伝達されることにより、例えば、全館空調システム１の運転状況等が表示される。
【００５４】
制御装置１５は、第１室内空調機１１に接続されている。これにより、制御装置１５は、第１室内空調機１１に信号を伝達することにより、空調運転（暖房運転又は冷房運転）を開始及び停止させることができる。また、制御装置１５は、第１室内空調機１１への信号の伝達により、空調空気Ａ１の風向や風量を調節することができる。
【００５５】
制御装置１５は、第１ファン１４及び第２ファン２７が接続されている。これにより、制御装置１５は、第１ファン１４及び第２ファン２７に信号を伝達することにより、第１ファン１４及び第２ファン２７の運転を開始及び終了させることができる。また、制御装置１５は、第１ファン１４及び第２ファン２７への信号の伝達により、第１ファン１４及び第２ファン２７の風量の制御をすることができる。
【００５６】
次に、本実施形態の空調方法の処理手順が説明される。図３は、建物２の空調方法の処理手順の一例を示すフローチャートである。この処理手順は、制御装置１５（図１に示す）に記憶されている制御手順に基づいて実施される。
【００５７】
本実施形態の空調方法では、先ず、全館空調システム１による空調運転開始の指示があるか否かが判断される（工程Ｓ１）。空調運転開始の指示があるか否かの判断は、例えば、居住者等が入力手段（図示省略）に入力した空調運転（暖房運転又は冷房運転）の開始に関する指示情報に基づいて行われる。
【００５８】
図３に示されるように、工程Ｓ１において、空調運転開始の指示があると判断された場合（工程Ｓ１で、「Ｙ」）、次の空調工程Ｓ２が実施される。一方、工程Ｓ１において、空調運転開始の指示がない（例えば、空調運転停止の指示がある）と判断された場合（工程Ｓ１で、「Ｎ」）、全館空調システム１による空調制御の終了の指示があるか否かを判断する工程Ｓ３が実施される。
【００５９】
次に、本実施形態の空調工程Ｓ２では、図１に示されるように、第１室内空調機１１及び第２室内空調機１２の少なくとも一方を用いて、複数の居室７（本例では、１階の居室７ａ、７ｂ）が空調される。本実施形態の空調工程Ｓ２では、予め定められた目標温度に基づいて、各居室７（１階の居室７ａ、７ｂ）が空調される。
【００６０】
目標温度は、適宜設定されうる。本実施形態では、各居室７（本例では、１階の居室７ａ、７ｂ）に予め定められた設定温度が、目標温度として設定される。なお、本実施形態のように、居室７（１階の居室７ａ、７ｂ）毎に設定温度が設定されている場合、暖房運転時には、それらの設定温度のうち、最も高い設定温度が、目標温度として定められるのが望ましい。一方、冷房運転時には、それらの設定温度のうち、最も低い設定温度が、目標温度として定められるのが望ましい。これにより、空調工程Ｓ２では、全ての居室７（１階の居室７ａ、７ｂ）の空調に有効な空気を、第１熱源９Ａ及び／又は第２熱源９Ｂから供給させることが可能となる。
【００６１】
本明細書において、空調に有効な空気とは、暖房運転時において、目標温度よりも高い温度の空気である。一方、冷房運転時において、空調に有効な空気とは、目標温度よりも低い温度の空気である。
【００６２】
本実施形態の空調工程Ｓ２では、先ず、第１室内空調機１１及び第２室内空調機１２の一方のみを運転させる第１運転工程が実施される（第１運転モード）。図４は、第１運転モードの一例を示す概念図である。
【００６３】
本実施形態の第１運転工程では、第１室内空調機１１のみを運転させている（第１運転モード）。第１運転工程では、先ず、制御装置１５（図１に示す）が、空調運転（暖房運転又は冷房運転）の開始に関する指示情報に基づいて、第１室内空調機１１に、暖房運転又は冷房運転を開始させるための信号を伝達する。これにより、空調工程Ｓ２では、第１室内空調機１１が、指示された空調運転（暖房運転又は冷房運転）を開始する。
【００６４】
第１室内空調機１１が、指示された空調運転（暖房運転又は冷房運転）を既に実行している場合には、空調運転を開始させるための信号の伝達が省略される。また、第１室内空調機１１の設定温度は、複数の居室７（本例では、１階の居室７ａ、７ｂ）の空調に有効な空気を供給するために、例えば、目標温度に基づいて適宜設定される。
【００６５】
本実施形態の第１運転工程では、制御装置１５（図１に示す）が、第１ファン１４及び第２ファン２７に、予め定められた風量で運転させるための情報がそれぞれ伝達される。なお、第１運転工程において、第１ファン１４及び第２ファン２７が停止していた場合には、これらの運転が開始される。これにより、第１運転工程（第１運転モード）では、建物２内の空気Ａ５を循環させながら、床下空気Ａ４（外気Ａ３）をチャンバー１０内に供給しつつ、チャンバー１０内の空気Ａ６（空調空気Ａ１を含む）を各居室７（１階の居室７ａ、７ｂ）に供給できる。したがって、第１運転工程（第１運転モード）では、建物２内の複数の居室７を、換気及び空調することができる。
【００６６】
第１ファン１４の風量及び第２ファン２７の風量は、適宜設定される。第１ファン１４の風量は、例えば、第１室内空調機１１（空調空気Ａ１）の風量に基づいて設定されるのが望ましい。一方、第２ファン２７の風量は、例えば、建物２に必要な換気回数に基づいて設定されるのが望ましい。本明細書において、「第１ファン１４の風量」は、複数個の第１ファン１４で構成されている場合、それらの第１ファン１４の総風量として特定される。また、第２ファン２７の風量は、第１ファン１４と同様に特定される。
【００６７】
次に、本実施形態の空調工程Ｓ２では、図２に示されるように、第２室内空調機１２の運転が開始されることにより、第１室内空調機１１及び第２室内空調機１２をともに運転させる第２運転工程が実施される（第２運転モード）。
【００６８】
本実施形態において、第２室内空調機１２の運転の開始は、居住者等の操作によって行われる。したがって、本実施形態の空調工程Ｓ２において、第１運転工程（第１運転モード）と、第２運転工程（第２運転モード）とが、居住者等の判断によって切り替えられる。また、第２室内空調機１２の設定温度は、居住者等によって適宜選択される。
【００６９】
第２運転工程（第２運転モード）では、第２室内空調機１２で空調された空気（空調空気Ａ２）が、空気導入口２０を介して第１室内空調機１１に供給される。第２室内空調機１２の空調空気Ａ２の温度は、建物２内の空気Ａ５（空調される前の空気）の温度に比べて、目標温度に近づいている。これにより、本実施形態では、第２室内空調機１２の空調空気Ａ２を、第１室内空調機１１が吸引して熱交換することにより、複数の居室７（１階の居室７ａ、７ｂ）の空調に有効な空気（空調空気Ａ１）を、第１室内空調機１１から短時間で吐出させうる。このような空調空気Ａ１が複数の居室７に供給されることにより、各居室７に設定された温度に、各居室７の温度を早期に達成させることができる。したがって、本実施形態の全館空調システム１は、各居室７の快適性を向上させることができる。
【００７０】
本実施形態の第２運転工程（第２運転モード）は、例えば、全館空調システム１による空調運転の開始時や、少なくとも１つの居室７の温度が目標温度に対してネガティブな場合に実施されるのが望ましい。本明細書において、ネガティブとは、目標温度に対して、各居室７（図１に示す）の温度が不利な方向に乖離していることを意味している。例えば、暖房運転時において、各居室７の温度が目標温度よりも低い場合（居室の温度＜目標温度）に、ネガティブであると判断される。一方、冷房運転時において、各居室７の温度が目標温度よりも高い場合（居室の温度＞目標温度）に、ネガティブであると判断される。このようなネガティブか否かの判断は、制御装置１５によって行われても良いし、居住者等によって行われてもよい。なお、各居室７の温度は、例えば、各居室７に設置された温度センサー（図示省略）等の測定結果から取得されうる。また、制御装置１５によって上記の判断がなされる場合には、出力手段（図示省略）に、ネガティブであることを示すメッセージ等が表示されるのが望ましい。
【００７１】
第２運転工程（第２運転モード）では、第２室内空調機１２の空調空気Ａ２の風向が、空気導入口２０に向けられるように、風向調節手段２１が調節されるのが望ましい。これにより、第２運転工程では、空調空気Ａ２が空気導入口２０に到達するまでの距離を短くすることができるため、第１室内空調機１１に供給される空調空気Ａ２の温度変化を小さくすることができる。したがって、第２運転工程では、各居室７（本例では、１階の居室７ａ、７ｂ）に設定された温度に、各居室７の温度を早期に達成させることが可能となる。
【００７２】
第２運転工程（第２運転モード）では、居室７（本例では、１階の居室７ａ、７ｂ）を循環した空気Ａ５が供給される非居室８（ホール８ａ）を空調することができる。したがって、本実施形態の空調方法（全館空調システム１）は、非居室８（ホール８ａ）でのヒートショックを効果的に防ぐことができる。
【００７３】
第２運転工程（第２運転モード）において、例えば、全ての居室７（本例では、１階の居室７ａ、７ｂ）の温度が目標温度に対してネガティブでなくなった場合（ポジティブになった場合）、図４に示した第１運転工程（第１運転モード）に切り替えられる。本実施形態において、第１運転モードへの切り替えは、居住者等が第２室内空調機１２の運転を停止させることで行われる。したがって、空調工程Ｓ２では、第１室内空調機１１のみによる空調運転が実施されるため、省エネルギー性を向上させることができる。
【００７４】
本実施形態の空調工程Ｓ２（図３に示す）では、第１室内空調機１１及び第２室内空調機１２の一方（例えば、第１室内空調機１１）が故障した場合に、他方の室内空調機（例えば、第２室内空調機１２）の運転を開始させてもよい。この場合、第２室内空調機１２から吐出された空調空気Ａ２は、空気導入口２０、及び、仕切材４５と第１室内空調機１１との間の隙間を介して、第１流路１３から複数の居室７（本例では、１階の居室７ａ、７ｂ）に供給される。これにより、本実施形態の空調方法（全館空調システム１）は、複数の居室７の空調を継続することができるため、各居室７の快適性が維持されうる。
【００７５】
制御装置１５は、第１室内空調機１１の運転を制御しうるため、第１室内空調機１１の故障に関する情報を取得することができる。このため、制御装置１５は、第１室内空調機１１が故障したと判断した場合、制御装置１５は、出力手段（図示省略）に、第１室内空調機１１の故障に関するメッセージや、第２室内空調機１２の空調の開始を促すメッセージ等を表示させるのが望ましい。
【００７６】
第１室内空調機１１の故障が回復した後は、居住者等の操作によって、第２室内空調機１２による空調運転が停止されるのが望ましい。この場合、制御装置１５は、出力手段（図示省略）に、第２室内空調機１２の空調運転の停止を促すメッセージ等を表示させるのが望ましい。
【００７７】
本実施形態の空調工程Ｓ２では、図４に示した第１室内空調機１１による空調運転停止の指示があるまで実施される。空調運転停止の指示があるか否かの判断は、例えば、居住者等が入力手段（図示省略）に入力した空調運転（暖房運転又は冷房運転）の停止に関する指示情報に基づいて行われる。
【００７８】
本実施形態の空調工程Ｓ２では、制御装置１５が、第１室内空調機１１に、空調運転を停止させるための信号を伝達する。さらに、制御装置１５が、第１ファン１４及び第２ファン２７に、予め定められた風量で運転させるための情報がそれぞれ伝達される。これにより、空調工程Ｓ２では、第１室内空調機１１の空調運転を停止させつつ、建物２内の空気Ａ５の循環、及び、各居室７（本例では、１階の居室７ａ、７ｂ）の換気を継続することができる。なお、第１室内空調機１１による空調運転が停止しても、居住者等が第２室内空調機１２に空調運転をさせることによって、空調工程Ｓ２を継続させてもよい。
【００７９】
図３に示されるように、本実施形態の工程Ｓ３では、全館空調システム１による空調制御（空調方法）の終了の指示があるか否かが判断される。空調方法の終了の指示があるか否かの判断は、例えば、居住者等によって入力手段（図示省略）に入力された指示情報や、割り込み処理等の異常終了の発生に基づいて行われる。
【００８０】
工程Ｓ３において、全館空調システム１による空調制御の終了の指示があると判断された場合（工程Ｓ３で、「Ｙ」）、空調方法の一連の処理が終了する。この場合、制御装置１５は、第１室内空調機１１に、空調運転を停止させるための信号を伝達する。さらに、制御装置１５は、第１ファン１４及び第２ファン２７に、運転を停止させるための信号を伝達する。なお、第１ファン１４及び第２ファン２７の運転は、継続させていてもよい。
【００８１】
一方、工程Ｓ３において、空調制御の終了の指示がないと判断された場合（工程Ｓ３で、「Ｎ」）、工程Ｓ１〜工程Ｓ３が再度実施される。これにより、本実施形態の空調方法（全館空調システム１）は、終了の指示があるまで、図１に示した建物２の空調（換気）を継続して行うことができる。
【００８２】
ところで、図４に示した第１運転モードにおいて、第１室内空調機１１による除霜運転（デフロスト運転）中は、その室外機についた霜を除去するために、第１室内空調機１１の暖房運転が一時的に停止する。このため、除霜運転中の第１室内空調機１１の吐出口１１ｂからは、冷たい空気（空調空気Ａ１）が吐出されるため、各居室７（図１に示す）の空調（暖房）を継続できない場合がある。このため、空調工程Ｓ２では、第１室内空調機１１による除霜運転（デフロスト運転）が開始された場合に、図２に示されるように、第２室内空調機１２の暖房運転を開始させるのが望ましい（除霜運転モード）。
【００８３】
本実施形態の除霜運転モードでは、居住者等の操作によって、第２室内空調機１２による暖房運転が開始される。この除霜運転モードでは、第１室内空調機１１による除霜運転の開始時に、制御装置１５の出力手段（図示省略）に、第２室内空調機１２の暖房運転の開始を促すメッセージ等が表示されるのが望ましい。
【００８４】
暖房運転中の第２室内空調機１２から吐出された空調空気Ａ２は、空気導入口２０を介してチャンバー１０内に供給され、第１室内空調機１１の冷たい空気（空調空気Ａ１）を含むチャンバー１０内の空気Ａ６を暖めることができる。そして、暖められたチャンバー１０内の空気Ａ６が複数の居室７（本例では、１階の居室７ａ、７ｂ）に供給されることにより、各居室７の空調（暖房）を継続できるため、各居室７の快適性を維持することが可能となる。
【００８５】
第１室内空調機１１による除霜運転が終了した後は、居住者等の操作によって、第２室内空調機１２による暖房運転を停止させるのが望ましい。この場合、制御装置１５は、出力手段（図示省略）に、第２室内空調機１２の暖房運転の停止を促すメッセージ等を表示させるのが望ましい。
【００８６】
また、図４に示した第１運転モードにおいて、第１室内空調機１１による冷房除湿運転中は、吸引された空気（建物２内の空気Ａ５や床下空気Ａ４）の温度を下げて、空気中に含まれる水蒸気を液化させている。このため、第１室内空調機１１の吐出口１１ｂからは、冷たい空気（本例では、空調空気Ａ２）が吐出されるため、各居室７（本例では、１階の居室７ａ、７ｂ）の温度が必要以上に低下する場合がある。このため、空調工程Ｓ２では、第１室内空調機１１による冷房除湿運転が開始された場合に、図２に示されるように、第２室内空調機１２の暖房運転が開始させるのが望ましい（除湿運転モード）。
【００８７】
本実施形態の除湿運転モードでは、居住者等の操作によって、第２室内空調機１２による暖房運転が開始される。この除湿運転モードでは、第１室内空調機１１による冷房除湿運転の開始時に、制御装置１５の出力手段（図示省略）に、第２室内空調機１２の暖房運転の開始を促すメッセージ等が表示されるのが望ましい。
【００８８】
暖房運転中の第２室内空調機１２から吐出された空調空気Ａ２は、空気導入口２０を介してチャンバー１０内に供給され、第１室内空調機１１の冷たい空気（空調空気Ａ１）を含むチャンバー１０内の空気Ａ６を暖めることができる。そして、暖められたチャンバー１０内の空気Ａ６が複数の居室７（本例では、１階の居室７ａ、７ｂ）に供給されることにより、各居室７の温度が必要以上に低下するのを防ぐことができるため、各居室７の快適性を維持することが可能となる。
【００８９】
第１室内空調機１１による冷房除湿運転が終了した後は、居住者等の操作によって、第２室内空調機１２による暖房運転を停止させるのが望ましい。この場合、制御装置１５は、出力手段（図示省略）に、第２室内空調機１２の暖房運転の停止を促すメッセージ等を表示させるのが望ましい。
【００９０】
これまでの実施形態の空調工程Ｓ２では、居住者等の操作によって、第２室内空調機１２の運転の開始及び停止が行われたが、このような態様に限定されない。例えば、制御装置１５（図１に示す）によって、第１室内空調機１１とともに、第２室内空調機１２の運転が制御されてもよい。これにより、空調工程Ｓ２では、居住者等が判断及び操作をすることなく、制御装置１５が、予め定められた条件等に基づいて、図４に示した第１運転工程（第１運転モード）と、図２に示した第２運転工程（第２運転モード）とを切り替えることが可能となる。
【００９１】
図４に示した第１運転工程（第１運転モード）と、図２に示した第２運転工程（第２運転モード）とを切り替える条件としては、適宜設定することができる。この実施形態では、第１運転モードにおいて、制御装置１５（図１に示す）が、少なくとも１つの居室７（１階の居室７ａ、７ｂ）の温度が目標温度に対してネガティブであると判断した場合、第２運転モードに切り替えられる（第２運転工程）。
【００９２】
一方、第２運転モード（図２に示す）において、図１に示した制御装置１５が、全ての居室７（本例では、１階の居室７ａ、７ｂ）の温度が目標温度に対してネガティブでないと判断した場合に、第１運転モード（図４に示す）に切り替えられる（第１運転工程）。なお、各居室７の温度は、例えば、各居室７に設置された温度センサー（図示省略）等の測定結果から取得されうる。
【００９３】
この実施形態の空調方法（全館空調システム１）では、時々刻々と変化する各居室７（本例では、１階の居室７ａ、７ｂ）の温度に基づいて、制御装置１５が、第１運転モード（図４に示す）と、第２運転モード（図２に示す）に切り替えることができる。したがって、空調方法（全館空調システム１）は、各居室７の快適性を維持しつつ、省エネルギー性を向上させることができる。
【００９４】
図４に示した第１運転モードでは、第１室内空調機１１の運転が実施されたが、このような態様に限定されない。第１運転モードでは、制御装置１５によって、第２室内空調機１２の運転が実施されてもよい。このような第１運転モードも、建物２内の空気Ａ５を循環させながら、床下空気Ａ４（外気Ａ３）をチャンバー１０内に供給しつつ、チャンバー１０内の空気Ａ６（空調空気Ａ２を含む）を、複数の居室７（本例では、１階の居室７ａ、７ｂ）に供給できる。したがって、この実施形態の第１運転モードは、これまでの実施形態の第１運転モード（図４に示す）と同様に、建物２内の複数の居室７を、換気及び空調することができる。
【００９５】
また、この実施形態の制御装置１５は、第１室内空調機１１及び第２室内空調機１２の運転を制御しうるため、第１室内空調機１１及び第２室内空調機１２の故障に関する情報を取得することができる。このため、制御装置１５は、それらの故障に関する情報に基づいて、第１室内空調機１１及び第２室内空調機１２の一方が故障したと判断した場合に、第１室内空調機１１及び第２室内空調機１２の他方のみを運転させてもよい。
【００９６】
この実施形態の制御装置１５は、第１室内空調機１１及び第２室内空調機１２の一方が故障していると判断した場合に、その一方の室内空調機の運転を停止させ、第１室内空調機１１及び第２室内空調機１２の他方のみを運転させている。空調運転の開始及び停止は、制御装置１５が、第１室内空調機１１及び第２室内空調機１２に信号を伝達することによって実施されうる。
【００９７】
この実施形態では、制御装置１５が、第１室内空調機１１及び第２室内空調機１２の一方が故障したと判断した場合に、第１室内空調機１１及び第２室内空調機１２の他方によって、複数の居室７（１階の居室７ａ、７ｂ）の空調を継続させることができる。したがって、この実施形態の空調方法（全館空調システム１）は、居住者等による判断を必要とすることなく、複数の居室７の空調を継続させることができるため、各居室７の快適性を確実に維持することが可能となる。
【００９８】
また、この実施形態では、制御装置１５が、第１室内空調機１１及び第２室内空調機１２の双方が故障していると判断した場合に、第１室内空調機１１及び第２室内空調機１２の双方を停止させてもよい。これらの空調運転の停止は、制御装置１５が、第１室内空調機１１及び第２室内空調機１２に信号を伝達することによって実施されうる。
【００９９】
この実施形態において、制御装置１５は、出力手段（図示省略）に、第１室内空調機１１及び第２室内空調機１２の故障に関するメッセージを表示させるのが望ましい。これにより、居住者等は、第１室内空調機１１及び第２室内空調機１２を迅速に復旧させることが可能となる。
【０１００】
この実施形態において、制御装置１５が、第１室内空調機１１及び第２室内空調機１２の故障が回復したと判断した場合、上述の条件に基づいて、第１運転モード（図４に示す）と、第２運転モード（図２に示す）とが切り替えられる。これにより、この実施形態では、各居室７（本例では、１階の居室７ａ、７ｂ）の設定温度に、各居室７の温度を早期に達成させることが可能となる。
【０１０１】
ところで、この実施形態の制御装置１５は、第１室内空調機１１及び第２室内空調機１２の運転を制御することができるため、第１室内空調機１１及び第２室内空調機１２の除霜運転に関する情報を取得することができる。このため、制御装置１５は、それらの除霜運転に関する情報に基づいて、第１室内空調機１１及び第２室内空調機１２の一方による除霜運転が開始されたと判断した場合に、第１室内空調機１１及び第２室内空調機１２の他方による暖房運転を開始させてもよい。暖房運転の開始は、制御装置１５が、第１室内空調機１１及び第２室内空調機１２の他方に信号を伝達することによって実施されうる。
【０１０２】
この実施形態では、制御装置１５が、第１室内空調機１１及び第２室内空調機１２の一方による除霜運転が開始されたと判断した場合に、第１室内空調機１１及び第２室内空調機１２の他方による暖房運転を開始させることができる。したがって、この実施形態の空調方法（全館空調システム１）は、居住者等による判断を必要とすることなく、暖房運転を開始させることができるため、各居室７（本例では、１階の居室７ａ、７ｂ）の快適性を確実に維持することができる。なお、各居室７の快適性を維持するために、制御装置１５は、第１室内空調機１１及び第２室内空調機１２の除霜運転が、同時に実施されないように制御するのが望ましい。
【０１０３】
この実施形態において、制御装置１５は、第１室内空調機１１及び第２室内空調機１２の一方による除霜運転が終了したと判断した場合、上述の条件に基づいて、第１運転モード（図４に示す）と、第２運転モード（図２に示す）とが切り替えられる。これにより、この実施形態では、各居室７（本例では、１階の居室７ａ、７ｂ）の設定温度に、各居室７の温度を早期に達成させることが可能となる。
【０１０４】
ところで、この実施形態の制御装置１５は、第１室内空調機１１及び第２室内空調機１２の運転を制御することができるため、第１室内空調機１１及び第２室内空調機１２の冷房除湿運転に関する情報を取得することができる。このため、制御装置１５は、それらの冷房除湿運転に関する情報に基づいて、第１室内空調機１１及び第２室内空調機１２の一方による冷房除湿運転が開始されたと判断した場合に、第１室内空調機１１及び第２室内空調機１２の他方による暖房運転を開始させてもよい。暖房運転の開始は、制御装置１５が、第１室内空調機１１及び第２室内空調機１２の他方に信号を伝達することによって実施されうる。
【０１０５】
この実施形態では、制御装置１５が、第１室内空調機１１及び第２室内空調機１２の一方による冷房除湿運転が開始されたと判断した場合に、第１室内空調機１１及び第２室内空調機１２の他方による暖房運転を開始させることができる。したがって、この実施形態の空調方法（全館空調システム１）は、居住者等による判断を必要とすることなく、暖房運転を開始させることができるため、各居室７（本例では、１階の居室７ａ、７ｂ）の快適性を確実に維持することが可能となる。なお、各居室７の快適性を維持するために、制御装置１５は、第１室内空調機１１及び第２室内空調機１２の冷房除湿運転が、同時に実施されないように制御するのが望ましい。
【０１０６】
この実施形態において、制御装置１５が、第１室内空調機１１及び第２室内空調機１２の一方による冷房除湿運転が終了したと判断した場合、上述の条件に基づいて、第１運転モード（図４に示す）と、第２運転モード（図２に示す）とが切り替えられる。これにより、この実施形態では、各居室７（本例では、１階の居室７ａ、７ｂ）の設定温度に、各居室７の温度を早期に達成させることが可能となる。
【０１０７】
以上、本発明の特に好ましい実施形態について詳述したが、本発明は図示の実施形態に限定されることなく、種々の態様に変形して実施しうる。
【符号の説明】
【０１０８】
１      全館空調システム
２      建物
７      居室
９Ａ    第１熱源
９Ｂ    第２熱源
１０      チャンバー
１１      第１室内空調機
１２      第２室内空調機
【図１】
0006975266.tif 000002
【図２】
0006975266.tif 000003
【図３】
0006975266.tif 000004
【図４】
0006975266.tif 000005